(57)【要約】【課題】パーソナルコンピュータで起動される所定のデータ処理ソフトウエアが扱うデータのディレクトリ構造及びファイル形式で、周辺外部機器からのデータを直接記録する。【解決手段】リムーバブルな光学式記録媒体である光ディスク（ＭＯ（光磁気）ディスク）２８にデータを記録・再生する光学式情報記録再生装置１は、第１のコネクタ５に接続される周辺外部機器２１とデータを送受するダイレクトコピー制御部２３と、第２のコネクタ１０に接続されるパーソナルコンピュータ２４からのデータとダイレクトコピー制御部２３からのデータとの一方を出力するＵＳＢバス切替回路２７と、ＵＳＢバス切替回路２７からのデータを光ディスク２８に記録・再生する光ディスクドライブ制御部（ＭＯドライブ制御部）２９を備えて構成される。【選択図】  図３
2004185679.tif 000002
【特許請求の範囲】
【請求項１】
周辺外部機器が有するデータを情報記録媒体に記録・再生する情報記録再生装置において、
前記データを所定プロトコルで送受するインターフェイス部と、
前記インターフェイス部を介して前記周辺外部機器を制御しデータ通信を行い、前記情報記録媒体に前記データを記録する制御部と
を備え、
前記制御部は、
前記周辺外部機器のディレクトリまたはファイル構造を検出する第１の検出手段と、
前記情報記録媒体が有するディレクトリまたはファイルを検出する第２の検出手段と、
前記第１の検出手段と前記第２の検出手段の一方あるいは両方の検出結果が得られた後に前記情報記録媒体への前記データの記録を制御するデータ記録制御手段と
を備えたことを特徴とする情報記録再生装置。
【請求項２】
前記情報記録媒体が有するディレクトリまたはファイルは、所定のデータ処理ソフトウエアにより規定される
ことを特徴とする請求項１に記載の情報記録再生装置。
【請求項３】
前記データ記録制御手段は、前記情報記録媒体から検出されたファイルに記述された指示に基づき、前記データの記録を制御する
ことを特徴とする請求項１に記載の情報記録再生装置。
【発明の詳細な説明】
【０００１】
【発明の属する技術分野】
本発明は、データを記録媒体に記録・再生する情報記録再生装置に関する。
【０００２】
【従来の技術】
従来より、デジタルスチルカメラ等の携帯機器によりＰＣカードに記録した画像ファイルをフロッピー（登録商標）ディスク等の他の記録媒体に複写する画像ファイル複写装置が知られている。
【０００３】
このような装置として、例えば、特開平７−２８３８９６号公報に開示されたものが知られている。この装置においては、装着された複写元の記録媒体上の画像ファイルを接続されたモニタ画面上にマルチ画面形式で表示し、複写する画像を選択できるようにしている。
【０００４】
しかし、上記特開平７−２８３８９６号公報に開示された従来の画像ファイル複写装置では、デジタルスチルカメラを長期間携帯する場合には、記憶容量が大きいＨＤＤ（ハードディスク装置）を装備したノートパソコン等を同時に携帯する必要があった。
【０００５】
そこで、例えば特開２００１−３４６１４３号公報では、画像ファイルの複写目的外の機能が多いパーソナルコンピュータを使用せずに、デジタルスチルカメラ等でＰＣカード上に取得した画像ファイルを複写保存することのできる携帯可能な画像ファイル複写装置を提案している。
【０００６】
一方、一般にホストデバイスであるパーソナルコンピュータ（ＰＣ）と、上記のデジタルスチルカメラやプリンタあるいは外付け情報記録再生装置等の被制御機器とは、汎用の通信プロトコル、例えばＵＳＢ（Ｕｎｉｖｅｒｓａｌ  Ｓｅｒｉａｌ  Ｂｕｓ）等により接続・通信が行われ、パーソナルコンピュータにより被制御機器が制御される。
【０００７】
ＵＳＢは、コンピュータ周辺機器のプラグ  アンド  プレイ機能をＰＣボックスの外部に引き出す。この仕様によって、専用のコンピュータスロットにカードを装着し、周辺機器がＰＣに着脱される度にシステムを再構成する、という必要性をなくす。ＵＳＢを搭載したパーソナルコンピュータは、コンピュータ周辺機器が物理的に接続された途端に、リブートしたりセットアップを走らせたりする必要なく、当該コンピュータ周辺機器を自動的に構成することができる。
【０００８】
また、ＵＳＢは、モニタやキーボードのような周辺機器を追加的なプラグインサイトまたはハブとして機能させながら、１台のコンピュータ上で同時に１２７台までの多数のデバイスを走らせることができる。
【０００９】
このようなＵＳＢ接続を行うことで、パーソナルコンピュータは、例えばデジタルスチルカメラからの画像データの編集を行ったり、処理した各種データをプリントアウトしたり、所望のデータを外付け情報記録再生装置に記録再生を行うことが可能となる。
【００１０】
パーソナルコンピュータでは、画像データの編集を行う際には、所定の画像処理ソフトウエアをインストールして、該画像処理ソフトウエアを起動してデジタルスチルカメラからの画像データを読み込み、種々の処理を行い、処理した画像データを画像処理ソフトウエアが作成したデータ構造により情報記録再生装置に格納保存する。
【００１１】
【特許文献１】
特開平７−２８３８９６号公報
【００１２】
【特許文献２】
特開２００１−３４６１４３号公報
【００１３】
【発明が解決しようとする課題】
しかしながら、例えばパーソナルコンピュータとＵＳＢ接続が可能なリムーバブルな光学式記録媒体である光ディスクにデータを記録・再生する光ディスク装置において、光ディスクにデジタルスチルカメラからの画像データを記録させる場合、デジタルスチルカメラが光ディスク装置とＵＳＢ接続可能で、光ディスク装置がホストデバイスを内蔵しているならば、デジタルスチルカメラのデータを光ディスクに記録することは可能であるが、その際のデータのディレクトリ構造及びファイル形式は光ディスク装置のホストデバイスに依存することになる。
【００１４】
一方、パーソナルコンピュータにおいて所定のデータ処理ソフトウエアを起動してデータ処理を行い光ディスク装置を用いて光ディスクにデータを記録する場合のディレクトリ構造及びファイル形式は該データ処理ソフトウエアに依存することになるため、該データ処理ソフトウエアにより光ディスク装置のホストデバイスに依存したディレクトリ構造のデータを読み出す際には、ディレクトリ構造やファイル形式の解析を行うといった処理を行わなければならないといった問題がある。
【００１５】
本発明は、上記事情に鑑みてなされたものであり、パーソナルコンピュータで起動される所定のデータ処理ソフトウエアが扱うデータのディレクトリ構造及びファイル形式で、周辺外部機器からのデータを直接記録することのできる情報記録再生装置を提供することを目的としている。
【００１６】
【課題を解決するための手段】
本発明の情報記録再生装置は、周辺外部機器が有するデータを情報記録媒体に記録・再生する情報記録再生装置において、前記データを所定プロトコルで送受するインターフェイス部と、前記インターフェイス部を介して前記周辺外部機器を制御しデータ通信を行い、前記情報記録媒体に前記データを記録する制御部とを備え、前記制御部が、前記周辺外部機器のディレクトリまたはファイル構造を検出する第１の検出手段と、前記情報記録媒体が有するディレクトリまたはファイルを検出する第２の検出手段と、前記第１の検出手段と前記第２の検出手段の一方あるいは両方の検出結果が得られた後に前記情報記録媒体への前記データの記録を制御するデータ記録制御手段とを備えて構成される。
【００１７】
【発明の実施の形態】
以下、図面を参照しながら本発明の実施の形態について述べる。
【００１８】
図１ないし図１３は本発明の一実施の形態に係わり、図１はリムーバブルな光学式記録媒体にデータを記録・再生する光学式情報記録再生装置の外観を示す外観図、図２は図１のリムーバブルな光学式記録媒体にデータを記録・再生する光学式情報記録再生装置の背面を示す背面図、図３は図１のリムーバブルな光学式記録媒体にデータを記録・再生する光学式情報記録再生装置の回路構成を示すブロック図、図４は図３のＭＯドライブ制御部の作用を説明するフローチャート、図５は図３のダイレクトコピー制御部の作用を説明するフローチャート、図６は図３のコピー元である周辺外部機器２１に格納されているデータのディレクトリ構造を示す図、図７は図３のリムーバブルな光学式記録媒体に記録されるデータの第１のディレクトリ構造を示す図、図８は図３のリムーバブルな光学式記録媒体に記録されるデータの第２のディレクトリ構造を示す図、図９は図３のダイレクトコピー制御部の具体的なダイレクトコピー処理を説明するフローチャート、図１０は図９の第１のダイレクトコピー処理を説明するフローチャート、図１１は図９の第２のダイレクトコピー処理を説明するフローチャート、図１２は図３のダイレクトコピー制御部の具体的なダイレクトコピー処理の変形例を説明するフローチャート、図１３は図１２のコピー先指定ファイルによるダイレクトコピー処理を説明するフローチャートである。
【００１９】
本実施の形態の光学式情報記録再生装置はリムーバブルな光学式記録媒体である光ディスクにデータを記録・再生する装置であって、以下、リムーバブルな光学式記録媒体である光ディスクとして、ＭＯ（光磁気）ディスクを例に説明する。
【００２０】
図１に示すように、ＭＯ（光磁気）ディスク装置１は、前面に後述するＭＯ（光磁気）ディスクを装置内にローディングするためのディスク挿入口２と、装置の電源をオン・オフするパワースイッチ３と、電源のオン状態を示すパワーＬＥＤ（Ｐｏｗｅｒ  ＬＥＤ）４と、画像データを格納している周辺外部機器（デジタルスチルカメラ、ＭＯ装置あるいかカードリーダー）と例えばＵＳＢ１．１準拠で接続するための第１のコネクタ５と、第１のコネクタ５に接続された周辺外部機器からの画像データのＭＯ（光磁気）ディスクへの直接記録（以下、ダイレクトコピーと記す）を指示するＬＥＤ機能を有するコピースタート／ストップスイッチ（ＣＯＰＹ  ＳＷ  ＳＴＡＲＴ／ＳＴＯＰ）６と、コピー状態を表示する２つのコピー状態ＬＥＤ（ＣＯＰＹ  ＳＴＡＴＵＳ  ＬＥＤ及びＤｒｉｖｅ  ＢＵＳＹ  ＬＥＤ）７、８と、ＭＯ（光磁気）ディスクの装置からの排出を指示するディスク排出スイッチ９とが設けられ、背面には図２に示すように、ホストデバイスを有する後述するパーソナルコンピュータと例えばＵＳＢ２．０準拠で接続するための第２のコネクタ１０と、装置に電源を供給するＡＣアダプタを接続するアダプタ接続コネクタ１１とが設けられている。
【００２１】
ＭＯ（光磁気）ディスク装置１の回路構成は、図３に示すように、第１のコネクタ５に接続される周辺外部機器２１とＵＳＢ１．１準拠で通信を行い第１のＵＳＢ２２を介して周辺外部機器２１とデータを送受するダイレクトコピー制御部２３と、第２のコネクタ１０に接続されるパーソナルコンピュータ２４からのＵＳＢ２．０準拠の第２のＵＳＢ２５を介したデータとダイレクトコピー制御部２３からのＵＳＢ１．１準拠の第３のＵＳＢ２６を介したデータとの一方をダイレクトコピー制御部２３の制御により出力するＵＳＢバス切替回路２７と、ＵＳＢバス切替回路２７からのＵＳＢ２．０準拠の第４のＵＳＢ３０を介したデータをＭＯ（光磁気）ディスク２８に記録・再生するＭＯドライブ制御部２９を備えて構成される。
【００２２】
ここで、ダイレクトコピー制御部２３は、パーソナルコンピュータ２４からのＵＳＢ２．０準拠の第２のＵＳＢ２５のうちのＶＢＵＳ（＋５Ｖ）２５ａを監視して、ＶＢＵＳ（＋５Ｖ）の状態に応じてＵＳＢバス切替回路２７を制御すると共に、ＵＳＢバス切替回路２７がダイレクトコピー制御部２３側あるいはパーソナルコンピュータ２４からのＵＳＢ２．０準拠の第２のＵＳＢ２５のうちのＶＢＵＳ（＋５Ｖ）２５ａがオンのとき、ＭＯドライブ制御部２９にＶＢＵＳ（＋５Ｖ）２５ｂを供給するようになっている。
【００２３】
なお、コピースタート／ストップスイッチ（ＣＯＰＹ  ＳＷ  ＳＴＡＲＴ／ＳＴＯＰ）６のスイッチ入力はダイレクトコピー制御部２３に入力され、コピースタート／ストップスイッチ（ＣＯＰＹ  ＳＷ  ＳＴＡＲＴ／ＳＴＯＰ）６のＬＥＤ機能及びコピー状態ＬＥＤ（ＣＯＰＹ  ＳＴＡＴＵＳ  ＬＥＤ）７はダイレクトコピー制御部２３により制御される。また、コピー状態ＬＥＤ（Ｄｒｉｖｅ  ＢＵＳＹ  ＬＥＤ）８はＭＯドライブ制御部２９により制御される。
【００２４】
本実施の形態では、ＭＯドライブ制御部２９に出力するＶＢＵＳをダイレクトコピー制御部２３が制御をしているが、他のＵＳＢ符号と同様に、ホストＰＣ２４からのＶＢＵＳ，ダイレクトコピー制御部２３からのＶＢＵＳもＵＳＢバス切替回路２７で切り替えても良い。
【００２５】
次に、このように構成された本実施の形態のリムーバブルな光学式記録媒体にデータを記録・再生する光学式情報記録再生装置の一例であるＭＯ（光磁気）ディスク装置１の作用について説明する。
【００２６】
まず、ＭＯドライブ制御部２９の処理について説明する。図４に示すように、ＭＯドライブ制御部２９は、ステップＳ１で切り替え許可信号３１（図３参照）のＯＦＦとディスク有無信号３３のディスク無し信号を出力し、ステップＳ２でホストデバイスであるパーソナルコンピュータ２４との接続状態を検出する。
【００２７】
そして、ステップＳ３で、切り替え信号３２（図３参照）オン（＝ダイレクトコピー制御部２３側）あるいはＵＳＢ接続でＶＢＵＳ（＋５Ｖ）がオフ状態（パーソナルコンピュータ２４の電源がオフあるいは未接続）かあるいはパケットが所定時間なくサスペンド状態（休止状態）かを判定し、切り替え信号３２オンあるいはＶＢＵＳ（＋５Ｖ）がオフ状態あるいはサスペンド状態ならばステップＳ４に進み、そうでないならばステップＳ５に進む。
【００２８】
ステップＳ４では切り替え許可信号３１にオフ（＝禁止）状態を出力し、ステップＳ５では切り替え許可信号３１にオン（＝許可）状態を出力して、それぞれステップＳ６に進む。
【００２９】
ステップＳ６ではＭＯ（光磁気）ディスク２８の装着状態を検出し、ＭＯ（光磁気）ディスク２８が装着されていると判断すると、ステップＳ８でディスク有無信号３３（図３参照）を’Ｈ’としてダイレクトコピー制御部２３に出力してステップＳ２に戻り、ＭＯ（光磁気）ディスク２８が装着されていないと判断すると、ステップＳ７でディスク有無信号３３（図３参照）を’Ｌ’としてダイレクトコピー制御部２３に出力してステップＳ２に戻る。
【００３０】
なお、光学式情報記録再生装置の一例であるＭＯ（光磁気）ディスク装置１の電源がオンであり続ければ、上記ステップＳ２〜Ｓ８の処理を継続し続ける。
【００３１】
このときの各ＬＥＤの状態を表１に示す。表１において、スタンバイ状態表示は上記のステップＳ１〜Ｓ５の時の表示である。また、ダイレクトコピー処理が終了したステップＳ８での各ＬＥＤの状態は、コピー正常終了表示、コピー異常終了表示あるいはコピー強制終了表示のいずれかであり、コピー準備中表示、コピー準備完了表示及びコピー中表示の各状態表示は後述するダイレクトコピー制御部２３のダイレクトコピー処理（ステップＳ７）中になされる。
【００３２】
【表１】
2004185679.tif 000003
次に、ダイレクトコピー制御部２３の処理について説明する。図５に示すように、ダイレクトコピー制御部２３は、ステップＳ１１でＵＳＢバス切替回路２７をパーソナルコンピュータ２４側に設定し、ステップＳ１２で第１のコネクタ５に接続された読み出し用の周辺外部機器である周辺外部機器２１のシステムをチェックする。ここでは、例えば周辺外部機器２１の論理フォーマットがサポートできるか、周辺外部機器２１にコピーすべきデータがあるか、さらにはファイルシステムが正常（ＦＡＴ１／ＦＡＴ２が一致している）か等がチェックされる。
【００３３】
そして、ステップＳ１３で周辺外部機器２１が未接続かあるいは周辺外部機器２１のシステムが適合システムかどうか判断され、周辺外部機器２１が未接続かあるいは適合システムでないならばステップＳ１２に戻り、適合システムならばステップＳ１４でＭＯドライブ制御部２９より入力される切り替え許可信号３１及びディスク有無信号３３をチェックする。
【００３４】
そして、ステップＳ１５で切り替え許可信号３１のＯＮ信号及びディスク有無信号３３のディスク有り信号が入力されると、ステップＳ１６でＵＳＢバス切替回路２７を制御する切り替え信号３２をダイレクトコピー制御部２３側にする。
【００３５】
ステップＳ１７では、ＭＯ（光磁気）ディスク２８の状態をチェックし、ステップＳ１８でＵＳＢバス切替回路２７を制御する切り替え信号３２をパーソナルコンピュータ２４側にし、ステップＳ１９でＭＯ（光磁気）ディスク２８の状態を判定する。
【００３６】
ステップＳ１９では、例えばＭＯ（光磁気）ディスク２８の論理フォーマットがサポートできるか、ファイルシステムが正常（ＦＡＴ１／ＦＡＴ２が一致している）か、さらには空き容量が足りているか（周辺外部機器２１のデータ容量≦ＭＯ（光磁気）ディスク２８の空き容量）等がチェックされる。ステップＳ１２で読み出し用の機器を検出してからステップＳ１９までの各ＬＥＤは表１のコピー準備中表示となり、ステップＳ１９とＭＯ（光磁気）ディスク２８がコピー可能状態と判定された後、最終的に各ＬＥＤを表１のコピー準備完了表示させる。
【００３７】
そして、ステップＳ２０でコピースタート／ストップスイッチ（ＣＯＰＹ  ＳＷ  ＳＴＡＲＴ／ＳＴＯＰ）６が押下されたかをチェックし、ステップＳ２１でコピースタート／ストップスイッチ（ＣＯＰＹ  ＳＷ  ＳＴＡＲＴ／ＳＴＯＰ）６が押下されていないと判断するとステップＳ１２に戻り、コピースタート／ストップスイッチ（ＣＯＰＹ  ＳＷ  ＳＴＡＲＴ／ＳＴＯＰ）６が押下されたと判断すると、ステップＳ２２でＵＳＢバス切替回路２７を制御する切り替え信号３２をダイレクトコピー制御部２３側にする。
【００３８】
そして、ステップＳ２３で各ＬＥＤを表１のコピー中表示させて、読み出し側の周辺外部機器である周辺外部機器２１からデータを読み出し、ステップＳ２４で読み出したデータをＭＯドライブ制御部２９によりＭＯ（光磁気）ディスク２８に書き込み、ステップＳ２５で周辺外部機器２１の全てのデータのコピーが完了したかあるいはエラーが発生したかあるいはコピースタート／ストップスイッチ（ＣＯＰＹ  ＳＷ  ＳＴＡＲＴ／ＳＴＯＰ）６が押下されコピー中断要求が発生したかどうか判定し、データのコピーが完了したあるいはエラーが発生したあるいはコピースタート／ストップスイッチ（ＣＯＰＹ  ＳＷ  ＳＴＡＲＴ／ＳＴＯＰ）６が押下されコピー中断要求が発生した場合には、ステップＳ２６で切り替え信号３２をパーソナルコンピュータ２４側にしてステップＳ２７に進み、そうでない場合にはステップＳ２３に戻る。
【００３９】
ステップＳ２７では読み出し用機器である周辺外部機器２１の接続が抜かれたかどうか判断し、周辺外部機器２１が抜かれた場合にはステップＳ１２に戻り、抜かれていない場合はステップＳ２８でＭＯ（光磁気）ディスク２８が抜かれたかどうか判断し、ＭＯ（光磁気）ディスク２８が抜かれた場合にはステップＳ１２に戻る。
【００４０】
なお、ステップＳ２５で判定によって、各ＬＥＤは表１のコピー正常終了表示、コピー異常終了表示あるいはコピー強制終了表示のいずれかの表示となる。
【００４１】
このように本実施の形態のＭＯ（光磁気）ディスク装置１では、装置にパーソナルコンピュータ２４をＵＳＢ接続した状態であっても、パーソナルコンピュータ２４の電源がオフかあるいはサスペンド状態（休止状態）であるならば、周辺外部機器２１からデータをＵＳＢでＭＯ（光磁気）ディスク２８にダイレクトコピーすることができる。
【００４２】
本実施の形態では、ステップＳ１２に戻しているが、ＭＯ（光磁気）ディスク２８が抜かれた場合はステップ１４に戻るようにし、読み出し側の周辺外部機器２１が抜かれた場合はステップ１２に戻るようにしてもよい。
【００４３】
また、本実施の形態のＭＯ（光磁気）ディスク装置１では、ＭＯ（光磁気）ディスク２８に所定の画像処理ソフトで用いる画像処理用フォルダが存在するか否かでダイレクトコピー処理が異なる。
【００４４】
すなわち、ダイレクトコピーのコピー元である周辺外部機器２１に格納されているデータが図６に示すような画像用フォルダ（￥ＤＣＩＭ）及び文書用フォルダ（￥ＭｙＤｏｃｕｍｅｎｔ）をルートとするディレクトリ構造を持つとすると、図７に示すように、コピー先であるＭＯ（光磁気）ディスク２８に該画像処理ソフトで用いる画像処理ソフト用フォルダ（￥ＡＬＢＵＭ）が存在しないときは、後述する第１のダイレクトコピー処理により、コピーフォルダ（￥ＣＯＰＹＤＡＴＡ％：％は正の整数）を生成し該コピーフォルダ下に周辺外部機器２１に格納されているデータをダイレクトコピーする。
【００４５】
また、コピー先であるＭＯ（光磁気）ディスク２８に該画像処理ソフトで用いる画像処理用フォルダが存在する場合は、後述する第２のダイレクトコピー処理により、図８に示すように、画像処理ソフトにより生成された画像処理用データフォルダ（￥ＡＬＢＵＭ￥ＤＡＴＡ￥＊：＊は正の整数）下に周辺外部機器２１に格納されているデータをダイレクトコピーする。
【００４６】
詳細には、ダイレクトコピー制御部２３は、図９に示すように、ステップＳ３１でコピー元である周辺外部機器２１に画像用フォルダ（￥ＤＣＩＭ）があるかどうか判断し、画像用フォルダ（￥ＤＣＩＭ）がない場合には、ステップＳ３２で後述する第１のダイレクトコピー処理を実行し、画像用フォルダ（￥ＤＣＩＭ）がある場合にはステップＳ３３に進む。
【００４７】
ステップＳ３３では、コピー先であるＭＯ（光磁気）ディスク２８に画像処理ソフト用フォルダ（￥ＡＬＢＵＭ）があるかどうか判断し、画像処理ソフト用フォルダ（￥ＡＬＢＵＭ）がない場合には、ステップＳ３２で後述する第１のダイレクトコピー処理を実行し、画像処理ソフト用フォルダ（￥ＡＬＢＵＭ）がある場合にはステップＳ３４に進む。
【００４８】
ステップＳ３４では、コピー先であるＭＯ（光磁気）ディスク２８に画像処理ソフト（￥ＡＬＢＵＭ￥ＡＬＢＵＭ．ＥＸＥ）があるかどうか判断し、画像処理ソフト（￥ＡＬＢＵＭ￥ＡＬＢＵＭ．ＥＸＥ）がない場合には、ステップＳ３２で後述する第１のダイレクトコピー処理を実行し、画像処理ソフト（￥ＡＬＢＵＭ￥ＡＬＢＵＭ．ＥＸＥ）がある場合にはステップＳ３５に進み、ステップＳ３５で後述する第２のダイレクトコピー処理を実行する。
【００４９】
なお、画像処理ソフトは画像処理用フォルダの下に無くてもよく、また、画像処理用フォルダがあれば画像処理ソフトは無くてもよい。
【００５０】
その逆に画像処理ソフトがあれば画像処理用フォルダが無くてもよい。この場合、は所定の画像処理用フォルダを作成してから全てのダイレクトコピー処理を行う。
【００５１】
また、全てのフォルダ／ファイルを第１のダイレクトコピー処理（ステップＳ３２）をしてから、さらに第２のダイレクトコピー処理（ステップＳ３５）を行ってもよい。
【００５２】
ステップＳ３２の第１のダイレクトコピー処理においては、ダイレクトコピー制御部２３は、図１０に示すように、ステップＳ４１でコピー先であるＭＯ（光磁気）ディスク２８のルートディレクトリからコピーフォルダ（￥ＣＯＰＹＤＡＴＡ％：％は正の整数）を検索し、最大の％（ＭＡＸ）のコピーフォルダ（￥ＣＯＰＹＤＡＴＡ％（ＭＡＸ））を求める。ステップＳ４２ではコピーフォルダ（￥ＣＯＰＹＤＡＴＡ％：％は正の整数）を検索した結果、１つでもコピーフォルダが存在するかどうか判断し、コピーフォルダが存在する場合はステップＳ４３に進み、ステップＳ４２においてコピーフォルダが存在しないと判断すると、ステップＳ５０で￥ＣＯＰＹＤＡＴＡ０のコピーフォルダを作成し、その下に￥Ｄ０００００００のデータフォルダを作成してステップＳ４９に進む。
【００５３】
ステップＳ４３では％（ＭＡＸ）のコピーフォルダ真下のデータフォルダ（￥Ｄ＊＊＊＊＊＊＊：＊は０〜９の整数）を検索し、最大の＊＊＊＊＊＊＊（ＭＡＸ）のデータフォルダを求め、ステップＳ４４で＊＊＊＊＊＊＊が９９９９９９９かどうか判断し、＊＊＊＊＊＊＊が９９９９９９９でないならば、ステップＳ４５において＊＊＊＊＊＊＊（ＭＡＸ）＋１のデータフォルダを作成してステップＳ４９に進む。
＊＊＊＊＊＊＊が９９９９９９９ならばステップＳ４６で％（ＭＡＸ）が９かどうか判断し、％（ＭＡＸ）が９ならばＭＯ（光磁気）ディスク２８が容量オーバーする虞があるため、ステップＳ４７でエラーとしてコピー動作を禁止し処理を終了する。
【００５４】
％（ＭＡＸ）が９未満ならば、ステップＳ４８で％（ＭＡＸ）＋１のコピーフォルダを作成し、その下に￥Ｄ０００００００のデータフォルダを作成してステップＳ４９に進む。
【００５５】
ステップＳ４９では、作成したデータフォルダにコピー元である周辺外部機器２１のルートディレクトリ以下にある全てのフォルダ／ファイルをコピーして処理を終了する。
【００５６】
本実施の形態ではコピーフォルダとデータフォルダの２階層としているが、これはＭＯディスク２８で一般的に使用されるＦＡＴ１６（論理フォーマット）では、ルートディレクトリに作成可能なファイルやフォルダ数が拡張されたＦＡＴ３２（論理フォーマット）と比較して大幅に少ないので、ルートディレクトリがいっぱいになるのを防ぐため２階層にしているが、何階層でもよい。
【００５７】
また、ステップＳ３５の第２のダイレクトコピー処理においては、ダイレクトコピー制御部２３は、コピー先であるＭＯ（光磁気）ディスク２８に画像処理用データフォルダ（￥ＡＬＢＵＭ￥ＤＡＴＡ￥＊：＊は正の整数）が存在するので、図１１に示すように、ステップＳ５１で％に０をセットし、ステップＳ５２で最大の＊（ＭＡＸ）の画像処理用データフォルダを検索し、コピー先に＊（ＭＡＸ）＋１の画像処理用データフォルダを作成する。
【００５８】
そして、ステップＳ５３でコピー元である周辺外部機器２１の画像用フォルダ（￥ＤＣＩＭ）の下にある画像フォルダ（￥１０％ＯＬＹＭＰ：％は正の整数）を検索し、ステップＳ５４で画像フォルダがないかあるいはすべての画像フォルダのコピー処理が終了したかどうか判断し、ＮｏならばステップＳ５５に進み、ＹｅｓならばステップＳ５６に進む。
【００５９】
ステップＳ５５ではステップＳ５２において作成した＊（ＭＡＸ）＋１の画像処理用データフォルダに検索した画像フォルダ内の全てのフォルダ／ファイルをコピーしてステップＳ５７で％をインクリメントしステップＳ５２に戻る。
【００６０】
また、ステップＳ５６では画像用フォルダ（￥ＤＣＩＭ）直下の全てのファイルを作成したデータフォルダに全てコピーし、ステップＳ５８で画像用フォルダ（￥ＤＣＩＭ）以外のフォルダを上述した第１のダイレクトコピー処理によりコピーして処理を終了する。
【００６１】
このように本実施の形態では、パーソナルコンピュータで起動される所定のデータ処理ソフトウエアが扱うデータのディレクトリ構造及びファイル形式で、周辺外部機器からのデータを直接記録させることが可能である。
【００６２】
ここで、本実施の形態では画像データを例に説明したが、音楽データにおいても音楽処理ソフトに対応したディレクトリ構造及びファイル形式に記録させるようにしてもよい。それ以外のデータ形成についても同様である。
【００６３】
本実施の形態では、所定の画像処理ソフトで用いる画像処理用フォルダが存在するか否かで上述した、第１のダイレクトコピー処理あるいは第２のダイレクトコピー処理で画像データをダイレクトコピーするとしたが、コピー先であるＭＯ（光磁気）ディスク２８にコピー先情報を記載したコピー先指定ファイルを持たせることで、該コピー先情報に基づいてダイレクトコピーするようにしてもよい。
【００６４】
このコピー先指定ファイルのコピー先情報は、例えば￥コピー先指定．ＴＸＴというテキストデータで記載され、例えば以下に示すように、データの種類に応じてダイレクトコピーするコピーフォルダを指定する情報となっている。
【００６５】
（１）画像データ：コピーフォルダ＝￥ＡＬＢＵＭ￥ＤＡＴＡ
（２）音声（音楽）データ：コピーフォルダ＝￥ＭｙＭｕｓｉｃ
（３）その他のデータ：コピーフォルダ＝￥ｄｅｆａｕｌｔ
上記（３）のその他のデータにおいては、例えばＮｏｎｅと指定した場合、コピーしないとすれば、指定した種類のファイルのみ抽出、コピーできる。
【００６６】
このようなコピー先情報に基づき、コピー先において画像データは￥ＡＬＢＵＭ￥ＤＡＴＡに、音声（音楽）データは￥ＭｙＭｕｓｉｃに、またその他のデータは￥ｄｅｆａｕｌｔにダイレクトコピーされる。ｄｅｆａｕｌｔとは第１の実施の形態ないしは第２の実施の形態のようにＭＯディスク装置が予め設定しているフォルダである。
【００６７】
例えばデータの種類の判別は、データ構造によって判別してもよいが、データの
ファイルの拡張子によって判別するようにしてもよい。またフォルダ構造としてもよい。
【００６８】
詳細には、図１２に示すように、ダイレクトコピー制御部２３は、ステップＳ６１でコピー先の所定の位置にコピー先指定ファイルを確認し、ステップＳ６２でコピー先指定ファイルが存在するかどうか判断し、存在しない場合には、ステップＳ６３で図９ないし図１１で説明したダイレクトコピー処理を実行して処理を終了し、コピー先指定ファイルが存在する場合にはステップＳ６４でコピー先指定ファイルによるダイレクトコピー処理を実行して処理を終了する。
【００６９】
このステップＳ６４のコピー先指定ファイルによるダイレクトコピー処理では、ダイレクトコピー制御部２３は、図１３に示すように、ステップＳ７１でコピー先であるＭＯ（光磁気）ディスク２８のコピー先指定ファイルからコピー先情報を読み出し、ステップＳ７２でコピー元である周辺外部機器２１からデータファイルを検索する。そして、ステップＳ７３でデータファイルがないかあるいはすべてのデータファイルのコピー処理が終了したかどうか判断し、ＮｏならばステップＳ７４に進み、Ｙｅｓならば処理を終了する。
【００７０】
ステップＳ７４では、データファイルの種別を判別し、コピー先にデータファイルの種別に対応したコピーフォルダがあるかどうか確認し、ステップＳ７５でコピーフォルダがないと判断するとステップＳ７６でコピーフォルダを作成してステップＳ７７に進み、コピーフォルダ作成済みと判断するとそのままステップＳ７７に進む。ステップＳ７７ではコピーフォルダにデータファイルをコピーしてステップＳ７２に戻る。
【００７１】
なお、全ての階層のファイルが同一フォルダにコピーされると、同一フォルダが存在したときリネームする必要があるが、これを防止するために、ステップＳ７６においては、読み込み元のフォルダ毎にサブフォルダを作成してその下にコピーしてもよい。
【００７２】
なお、本実施の形態では、ＭＯ（光磁気）ディスク装置１は、例えば１２８ＭＢ／２３０ＭＢ／５４０ＭＢ／６４０ＭＢ／１．３ＧＢのＭＯ（光磁気）ディスクをサポートしている。
【００７３】
また、本実施の形態では、リムーバブルな光学式記録媒体としてＭＯ（光磁気）ディスクを例に説明したが、これに限らず、ＣＤ−Ｒ，ＣＤ−ＲＷ，ＤＶＤ−Ｒ等をリムーバブルな光学式記録媒体とする光学式情報記録再生装置に適用できることは言うまでもない。
【００７４】
また、本実施の形態は、記録媒体はリムーバブルな光学式記録媒体に限らず、ＨＤＤ等の固定ディスク・磁気式情報記録再生装置にも適用可能である。
【００７５】
さらにディレクトリ構造及びフォルダ／ファイル形式は一例であって、例えばディレクトリ構造は上述した構造に限定されることはなく、またフォルダ／ファイル名も上記に限定されない。さらにフォルダの番号も一例であって限定されず、番号は昇順でも降順でもかまわない。
【００７６】
本発明は、上述した実施の形態に限定されるものではなく、本発明の要旨を変えない範囲において、種々の変更、改変等が可能である。
【００７７】
【発明の効果】
以上説明したように本発明によれば、パーソナルコンピュータで起動される所定のデータ処理ソフトウエアが扱うデータのディレクトリ構造及びファイル形式で、周辺外部機器からのデータを直接記録することができるという効果がある。
【図面の簡単な説明】
【図１】本発明の一実施の形態に係るリムーバブルな光学式記録媒体にデータを記録・再生する光学式情報記録再生装置の外観を示す外観図
【図２】図１のリムーバブルな光学式記録媒体にデータを記録・再生する光学式情報記録再生装置置の背面を示す背面図
【図３】図１のリムーバブルな光学式記録媒体にデータを記録・再生する光学式情報記録再生装置の回路構成を示すブロック図
【図４】図３のＭＯドライブ制御部の作用を説明するフローチャート
【図５】図３のダイレクトコピー制御部の作用を説明するフローチャート
【図６】図３のコピー元である周辺外部機器２１に格納されているデータのディレクトリ構造を示す図
【図７】図３のリムーバブルな光学式記録媒体に記録されるデータの第１のディレクトリ構造を示す図
【図８】図３のリムーバブルな光学式記録媒体に記録されるデータの第２のディレクトリ構造を示す図
【図９】図３のダイレクトコピー制御部の具体的なダイレクトコピー処理を説明するフローチャート
【図１０】図９の第１のダイレクトコピー処理を説明するフローチャート
【図１１】図９の第２のダイレクトコピー処理を説明するフローチャート
【図１２】図３のダイレクトコピー制御部の具体的なダイレクトコピー処理の変形例を説明するフローチャート
【図１３】図１２のコピー先指定ファイルによるダイレクトコピー処理を説明するフローチャート
【符号の説明】
１…リムーバブルな光学式記録媒体にデータを記録・再生する光学式情報記録再生装置（ＭＯ（光磁気）ディスク装置）
２…ディスク挿入口
３…パワースイッチ
４…パワーＬＥＤ（Ｐｏｗｅｒ  ＬＥＤ）
５…第１のコネクタ
６…コピースタート／ストップスイッチ（ＣＯＰＹ  ＳＷ  ＳＴＡＲＴ／ＳＴＯＰ）
７…コピー状態ＬＥＤ（ＣＯＰＹ  ＳＴＡＴＵＳ  ＬＥＤ）
８…コピー状態ＬＥＤ（Ｄｒｉｖｅ  ＢＵＳＹ  ＬＥＤ）
９…ディスク排出スイッチ
１０…第２のコネクタ
１１…アダプタ接続コネクタ
２１…デジタルスチルカメラ
２２…第１のＵＳＢ
２３…ダイレクトコピー制御部
２４…パーソナルコンピュータ
２５…第２のＵＳＢ
２６…第３のＵＳＢ
２７…ＵＳＢバス切替回路
２８…リムーバブルな光学式記録媒体（ＭＯ（光磁気）ディスク）
２９…ＭＯドライブ制御部
３０…第４のＵＳＢ
３１…切り替え許可信号
３２…切り替え信号
３３…ディスク有無信号
【図１】
2004185679.tif 000004
【図２】
2004185679.tif 000005
【図３】
2004185679.tif 000006
【図４】
2004185679.tif 000007
【図５】
2004185679.tif 000008
【図６】
2004185679.tif 000009
【図７】
2004185679.tif 000010
【図８】
2004185679.tif 000011
【図９】
2004185679.tif 000012
【図１０】
2004185679.tif 000013
【図１１】
2004185679.tif 000014
【図１２】
2004185679.tif 000015
【図１３】
2004185679.tif 000016